(57)【要約】【課題】  湯につからない身体部分を冷やすことなく半身浴が容易におこなえる半身浴装置を提供する。【解決手段】浴槽上に装着使用される半身浴装置において、入浴者と相対する側と逆側の部位に、浴槽Ｙの残る上面開放部分を覆うフレキシブルな蓋体３が一体に設けられているもの。【選択図】  図１
2006150006.tif 000002
【特許請求の範囲】
【請求項１】
浴槽上に装着使用される半身浴装置において、前記入浴者と相対する側と逆側の部位に、前記浴槽の残る上面開放部分を覆うフレキシブルな蓋体が一体に設けられていることを特徴とする半身浴装置。
【請求項２】
浴槽上に装着使用される半身浴装置において、全体が折り畳み可能に形成されていることを特徴とする半身浴装置。
【発明の詳細な説明】
【技術分野】
【０００１】  この発明は浴槽に装着して用いる半身浴装置に関する。
【背景技術】
【０００２】  最近では比較的低温な湯中に腹部まで３０分程度つかる半身浴が行なわれ、この半身浴はとくに高齢者にとって健康管理上好ましいことが臨床的にも実証されている。しかしながら、一般家庭において半身浴を行なう場合、冬場においては浴室内の温度が低く体の湯につかっていない部位が冷えることで風邪引いてしまう恐れがある。そこで従来品として浴槽の上部をある程度覆うように用いられるものが提案されている（例えば特２００２−１９９９９６号）。
【発明の開示】
【発明が解決しようとする課題】
【０００３】  しかしながら上記従来品では、湯から出ている身体部分を冷やさないで半身浴をするには残る浴槽の上部の開放部分を折り畳んだ風呂蓋等で覆う必要があり、その作業に手間がかかる問題があった。また、浴槽を覆う形態の場合どうしても全体形状が大きくなり、通常一般家庭の浴室はあまり広くないので使用しない際の収納場所に困るという問題があった。【０００４】  この発明は上記従来品の問題を解消するように行なったもので、まず、湯につからない身体部分を冷やすことなく半身浴が容易におこなえる半身浴装置を提供することを目的とする。また、使用しない場合に収納が場所を取ることなくおこなえる半身浴装置を提供することを目的とする。
【課題を解決するための手段】
【０００５】  上記目的を達成するために、第１の発明（請求項１の発明）では、浴槽上に装着使用される半身浴装置において、前記入浴者と相対する側と逆側の部位に、前記浴槽の残る上面開放部分を覆うフレキシブルな蓋体が一体に設けられている構成とする。【０００６】  上記構成によれば、フレキシブルな蓋体により浴槽の残る上面開放部分を覆うことで、浴槽内をほぼ密閉でき、これにより、湯から出た身体部分を冷やすことなく半身浴が行なえる。【０００７】  第２の発明では（請求項２の発明）では、浴槽上に装着使用される半身浴装置において、全体が折り畳み可能に形成される構成とする。【０００８】  上記構成によれば、非使用時には折り畳むことでコンパクトな形態とでき、収納を場所を取らずにおこなえる。
【発明の効果】
【０００９】  第１の発明によれば、体を冷やすことなく半身浴が容易におこなえるようになる。第２の発明によれば、使用しない際の収納が場所を取ることなくおこなえる便利な半身浴装置が得られるようになる。
【発明を実施するための最良の形態】
【００１０】  図１は第１の発明の半身浴装置の外観を示す斜視図である。半身浴装置１は浴槽Ｙ上に載置されるボード部２の奥側に、引き出し及び巻き取りが可能なようにフレキシブル蓋体としての軟質シートよりなる補助蓋３が一体に取り付けられて構成されている。ボード部２は中空のプラスチックス板よりなり、その手前側には半身浴を行なう者が位置するための湾曲凹み部４が設けられている。ボード部２上面の両側には化粧品やメガネ等の小物の収納のためのポケット５それぞれが凹設されている。ポケット５それぞれの底部５ａは、図２に示すように、ボード部２の底面より下方に突出して位置し、その外側にはゴム材よりなるガイド体６が浴槽Ｙの側壁ｙに近接相対するように連続して取り付けられている。このようにガイド体６が設けられていることで、半身浴装置１の浴槽Ｙ上での矢印方向Ａ（図１）のスライド移動が安定して行なわれるようになっている。【００１１】  さらに、ボード部２上面のポケット５それぞれの奥側には湯温を検知して表示する温度計７、半身浴時間の計測のためのタイマー８がそれぞれが設けられている。温度計７は、図３に示すように、ボード部２の取り付け穴１１に取り外し可能に嵌設され、その検知端部９は半身浴時に湯内に位置できるように下方に長く延設されている。タイマー８は固定状態に埋設されている。それら温度計７、タイマー８の中間位置にブックスタンド１２が立設され、ブックスタンド１２はネジ１３で取り付けられ、不用時には取り外せるとともに、また、取り外した状態で洗浄ができて清潔に使用できるようになっている。１０は本を押さえるための透明樹脂よりなるホールドバーであり、ブックスタンド１２に上下方向にスライド可能に取り付けられて適宜の大きさの本を安定保持できるようになっている。【００１２】  補助蓋３は、図４に示すように、その一端側がボード部２の奥側に沿って形成された補助蓋収納部１５内に沿って配置される回転ドラム１６に連結係止されて設けられている。回転ドラム１６の両端内にはコイルバネ１７それぞれが装着され、このコイルバネ１７それぞれにより回転ドラム１６は常時矢印Ｂ方向に回転するように付勢され、これにより補助蓋３には常に回転ドラム１６による巻き取り力が働いている。コイルバネ１７それぞれは一端が回転ドラム１６に、他端が補助蓋収納部１５の両端に装着固定されるキャップ１８に係止固定されている。補助蓋３の他端側の両側裏面には浴槽Ｙの上縁面に吸着使用される吸盤２０それぞれが取り付けられている。【００１３】  次に、上記半身浴装置１の使用について説明する。まず、半身浴装置１を浴槽Ｙ上に載置し、次に補助蓋３をある程度引き出しその吸盤２０それぞれを浴槽Ｙ端部の上縁面に吸着させる。温度計７は浴槽Ｙ上に載置した後に装着してもよい。次に半身浴装置１の手前側から浴槽Ｙ内に入りボード部２を手前側に引く。補助蓋３は端部が吸盤２０で浴槽Ｙ上に固定されていることでコイルバネ１７のバネ力に抗して相対的に引き出される。そして、丁度入浴者がボード部２の湾曲凹み部４内に位置するまでボード部２を引き、半身浴を行なう。その際、ボード部２をどの位置まで引き出してもそれに対応して補助蓋３が引き出され浴槽Ｙ上を自動的���覆うので、引き出し後に補助蓋３で浴槽Ｙ上を覆う作業が省略でき非常に便利である。【００１４】  実際の湯温が温度計７で確認でき、また、タイマー８により使用時間設定できることで安心して半身浴が行なえるとともに、ブックスタンド１２を使用して読書がおこなえる。また、使用に際しては、補助蓋３で浴槽Ｙの奥側の開放部が覆われることで浴槽Ｙ内がほぼ密閉状態となり、これにより入浴者は浴室内が十分暖まっていない場合も湯に使っていない身体部分を冷やすことなく半身浴が行なえる。使用後には吸盤２０を浴槽Ｙから外すことで補助蓋３は自動的に補助蓋収納部１５内に巻き取られる。このように補助蓋３が自動的に巻き取られることで使用後に補助蓋３を折り畳んだりする手間が省け、またコンパクトな状態として収納できる。【００１５】  図４は第２の発明の実施形態の外観斜視図である。この実施形態の半身浴装置１０１は、図５に示すように、中央で蝶番１０３によりボード部１０２それぞれが連結されることで折り曲げ可能な構成とされており、このような構成により非使用時にはコンパクトな状態として収納できるようになっている。ボード部１０２それぞれの上面には第１の発明のものと同様にポケット１０５、温度計１０７、タイマー１０８が設けられている。１０９のそれぞれはブックホルダーで、図６に示すように、その係止部１１０内にボード部１０２の係止凸部１１１が水平方向にスライド装着されることで着脱可能に取り付けられ、この一対のブックホルダー１０９を使用することで本をセットできるようになっている。
【図面の簡単な説明】
【図１】  第１の発明の半身浴装置の実施形態の外観斜視図
【図２】  第１の発明の半身浴装置の実施形態の要部断面図
【図３】  第１の発明の半身浴装置の実施形態の要部断面図
【図４】  第１の発明の半身浴装置の実施形態の要部断面図
【図５】  第２の発明の半身浴装置の実施形態の外観斜視図
【図６】  第２の発明の半身浴装置の実施形態の折り畳み時の外観斜視図
【図７】  第２の発明の半身浴装置の実施形態の要部断面図
【符号の説明】
１    半身浴装置
２    ボード部
３    補助蓋（蓋体）
Ｙ    浴槽
【図１】
2006150006.tif 000003
【図２】
2006150006.tif 000004
【図３】
2006150006.tif 000005
【図４】
2006150006.tif 000006
【図５】
2006150006.tif 000007
【図６】
2006150006.tif 000008
【図７】
2006150006.tif 000009